(57)【特許請求の範囲】
【請求項１】
容器口部に吸液芯を保持した中栓を嵌着した芳香剤収納容器であって、
容器底部の底壁はほぼ水平に形成され、該底壁には、中央部側内面を傾斜面とした四つの隆起部が底壁中央部を囲むように配設されるとともに、隣り合う隆起部と隆起部との間には細巾の液路が形成されており、
吸液芯の下端が、前記隆起部の前記傾斜面に沿って底壁中央部に誘導され、底壁中央部に維持されるようにしたことを特徴とする芳香剤収納容器。
【請求項２】
芳香剤収納容器に取着された芳香放散用具であって、
芳香放散用具は、カバー体と、該カバー体内に設けられた揮散板支持枠と芳香揮散板とからなっており、
前記カバー体は、頂壁と側周壁とを具え、カバー体内面には、頂壁との間に一定の間隔を置いて、複数本の支持枠杆を有する揮散板支持枠が設けられ、
前記芳香揮散板は、カバー体の頂壁と前記支持枠杆との間で上下動自在に配設され、
芳香剤収納容器の中栓上端から突出する吸液芯によって、支持枠杆から上方に持ち上げられた状態で保持され、
前記カバー体の頂壁には、前記芳香揮散板の上面に対向する複数の芳香揮散孔が穿設され、
カバー体の側周壁には、前記支持枠杆を通る下方への芳香揮散に対応する芳香揮散孔が、前記支持枠杆の下方に穿設されていることを特徴とする芳香放散用具。
【請求項３】
カバー体の側周壁には、芳香揮散孔が、前記揮散板支持枠の上方と下方に穿設され、側周壁の前後面内周に、揮散板支持枠を保持する膨出部が設けられ、左右面内周には、膨出部より上方に位置し、上下方向に延びる複数の縦リブが配設されており、
揮散板支持枠は、容器口部を包囲する筒体と、放射状に延びる複数本の支持枠杆と、支持枠杆の外端を結び、膨出部に保持される保持リングとからなっていることを特徴とする請求項２記載の芳香放散用具。
【発明の詳細な説明】
【０００１】
【発明の属する技術分野】
本発明は、芳香剤収納容器と該芳香剤収納容器に被蓋され、放散効果を増大した芳香放散用具に関する。
【０００２】
【従来の技術】
吸液芯を取り付けた中栓の上面に芳香揮散板を取り付け、上面に多数の開口を設けた芳香放散用具を被せ、芳香揮散板の表面より芳香揮散板に吸い上げられた芳香剤を揮発放散させるようにした芳香剤放散容器、例えば図６に示すような容器は従来より知られている。
【０００３】
図６において、Ａａは芳香剤収納容器、Ｂａは芳香放散用具であり、収納容器Ａａには吸液芯ａを取着した中栓ｂが嵌着されており、芳香放散用具Ｂａは、揮散板支持枠ｃに、下面が吸液芯ａに接合するように芳香揮散板ｄを装着し、芳香放散用具Ｂａの上面に設けた芳香拡散孔ｅから、芳香を大気中に拡散するようにしている。
【０００４】
しかしながら、上記従来の芳香剤収納容器Ａａでは、吸液芯ａは、中栓ｂの保持部に取着されているが、吸液芯を取着した中栓の取付時に、吸液芯ａが斜めに傾斜して挿入されると、吸液芯ａの上端が中栓上端と面一に確実に保持されないことがあり、吸液芯ａの上端と芳香揮散板との接触が不充分となり揮散が充分に行えないという問題が生じることがあった。
また吸液芯ａの下端は、自由端となっているため、使用前または使用中、収納容器を傾けた場合に、内容液の動きに伴い吸液芯ａが傾斜して、下端部が容器の底部から離れ、そのままの状態が維持されることがあった。
そのため、内容液を最後まで吸上げることができないという問題があった。
【０００５】
また、上記芳香放散用具は、芳香拡散孔ｅが芳香放散用具Ｂａの頂壁と側壁上部に設けられており、芳香揮散板ｄの上面から揮散した芳香は、芳香拡散孔ｅから放散されるが、芳香揮散板ｄの下面から揮散した芳香は、主として内部に充満し、放散効率がよくないという問題があった。
また、吸液芯ａの上端を芳香揮散板ｄの下面に正確に接触させなければならず、中栓ｂ、とくに吸液芯ａの支持部と、芳香放散用具Ｂａの揮散板支持枠ｃの取付位置を正確に合致させなければならないという問題があった。
【０００６】
【発明が解決しようとする課題】
本発明は、上記の問題点を解決することを課題として、吸液芯の下端を底壁中央に維持して、内容液を最後まで吸上げるようにした芳香剤収納容器、および芳香揮散板を上下動可能とし、芳香放散用具の頂壁とともに側周壁の下方部まで芳香拡散孔を配設し、芳香揮散板の下面からも揮散した芳香を大気中に拡散するようにした芳香剤の放散用具を提供することを目的とする。
【０００７】
【課題を解決するための手段】
本発明は、上記の課題を解決するため、芳香剤収納容器として、容器口部に吸液芯を保持した中栓を嵌着した芳香剤収納容器であって、容器底部の底壁はほぼ水平に形成され、該底壁には、中央部側内面を傾斜面とした四つの隆起部が底壁中央部を囲むように配設されるとともに、隣り合う隆起部と隆起部との間には細巾の液路が形成されており、吸液芯の下端が、前記隆起部の前記傾斜面に沿って底壁中央部に誘導され、底壁中央部に維持されるようにしたことを特徴とする構成を採用する。
【０００８】
芳香放散用具として、芳香剤収納容器に取着された芳香放散用具であって、芳香放散用具は、カバー体と、該カバー体内に設けられた揮散板支持枠と芳香揮散板とからなっており、前記カバー体は、頂壁と側周壁とを具え、カバー体内面には、頂壁との間に一定の間隔を置いて、複数本の支持枠杆を有する揮散板支持枠が設けられ、前記芳香揮散板は、カバー体の頂壁と前記支持枠杆との間で上下動自在に配設され、芳香剤収納容器の中栓上端から突出する吸液芯によって、支持枠杆から上方に持ち上げられた状態で保持され、前記カバー体の頂壁には、前記芳香揮散板の上面に対向する複数の芳香揮散孔が穿設され、カバー体の側周壁には、前記支持枠杆を通る下方への芳香揮散に対応する芳香揮散孔が、前記支持枠杆の下方に穿設されていることを特徴とする構成を採用する。
また、カバー体の具体的な実施例として、カバー体の側周壁には、芳香揮散孔が、前記揮散板支持枠の上方と下方に穿設され、側周壁の前後面内周に、揮散板支持枠を保持する膨出部が設けられ、左右面内周には、膨出部より上方に位置し、上下方向に延びる複数の縦リブが配設されており、揮散板支持枠は、容器口部を包囲する筒体と、放射状に延びる複数本の支持枠杆と、支持枠杆の外端を結び、膨出部に保持される保持リングとからなっていることを特徴とする構成を採用する。
【０００９】
【発明の実施の形態】
次に、本発明の実施形態について、図面を参照して説明する。
図１において、Ａは芳香剤の収納容器、Ｂは芳香放散用具である。
図１に示すように、収納容器Ａは容器本体１と中栓２、該中栓２に装着された吸液芯３とキャップ４とを具えており、収納容器Ａの内容液として、揮発性の芳香剤、消臭剤が収納されている。
【００１０】
図１，２に示すように、容器本体１は、外周にねじ５を螺設した口部６、断面楕円形の肩部７と胴部８および底部９とからなり、胴部８の上端には、環状凹部１０が設けられ、底部９の底壁９ａは、ほぼ水平に形成され、中央部で交差する細巾の十字路１１を挟んで４つの隆起部１２が形成されている。
隆起部１２の内側１２ａは傾斜面となっており、吸液芯３の外周を囲むように位置している。
【００１１】
中栓２は、口部６上面を被う上壁１３と、上壁１３より垂下され、口部６内周を嵌合する嵌着筒１４と、上壁１３内周縁に垂設された吸液芯３を保持する保持筒１５とを具えている。
保持筒１５は、上部の円筒部１６と、中間部のロート状の円錐部１７、該円錐部１７の下端より垂下する長尺の吸液芯の保持パイプ１８とからなっており、円錐部１７には、通気孔１９が穿設されている。
【００１２】
吸液芯３は、前記保持パイプ１８に嵌挿され、その上端３ａは、中栓２の上面より突出している。
中栓の取付に当たって、吸液芯３の下端３ｂは、４つの隆起部１２の内側１２ａの傾斜面によって誘導されるので、容器底部９の底壁９ａ中央面上に載置されることになっている。
そして、吸液芯３の下端３ｂが、底壁９ａ中央面上に載置されていることによって、底部９周辺の内容液は、十字路１１を通じて吸液芯３に引き寄せられ内容液を最後まで吸い上げられることになる。
また、使用中に容器を傾け内容液が移動しても、吸液芯３の下端は隆起部１２によって妄動が防止され、常に底壁９ａの十字路１１中央部に維持される。
【００１３】
キャップ４は、中栓２の上面に接合する環状の上壁２０と、上壁２０外周縁に垂設され、内周にねじ溝２１を螺設した嵌着筒２２と、内周縁から上下に延びる側筒壁２３と、頂壁２４とを具えている。
側筒壁２３の下部外周は、中栓２の円筒部１６内周に嵌挿され、頂壁２４は、中栓の上壁１３より突出した吸液芯３の上端３ａより高く位置している
【００１４】
図１，４，５に示すように、芳香放散用具Ｂは、カバー体３０と、揮散板支持枠３１と芳香揮散板３２とからなっている。
カバー体３０は、楕円形の頂壁３３とその周縁から垂設された側周壁３４とからなっており、頂壁３３には、芳香拡散孔３５が穿孔されている。
該芳香拡散孔３５は、半円状の開口３５ａ、放射状に並列された多数の長孔３５ｂ等によって左右対称的に所定の模様を形成するように配設されている。
【００１５】
側周壁３４の左右面の内周には、上端から一定長さの縦リブ３６が等間隔に突設されており、縦リブ３６の下端から、若干の間隔をおいて横方向に延びる膨出部３７が前後面内周に複数個設けられている。
側周壁３４の下端内周には、胴部８の環状凹部１０に係合する膨出環３８が複数個設けられている。
【００１６】
側周壁３４の前後面には、前記膨出部３７を境にして、上下に分離して芳香拡散孔３９，４０が穿孔されている。
芳香拡散孔３９，４０は、縦方向へ延びる長孔状の模様に形成されており、下方の芳香拡散孔４０は、側周壁３４の下端部近くまで配設されている。
【００１７】
揮散板支持枠３１は、容器口部の外周より大きい径を有する筒体４１と、該筒体４１の上端から放射状に連設された８本の支持枠杆４２と、該支持枠杆４２の外端に連結され、カバー体３０の側周壁３４内周に嵌合される保持リング４３とを具えている。
支持枠杆４２の下方の筒体４１周面には、補強のための縦リブ４４が突設されており、一つ置きの支持枠杆４２と縦リブ４４との間には、板リブ４５が設けられている。
【００１８】
芳香揮散板３２は、カバー体３０と相似形にその内周よりやや小さく形成され、揮散板支持枠３１の上面に保持されている。
取付にあたっては、揮散板支持枠３１がカバー体３０の膨出部３７の上面で支持され、芳香揮散板３２は、カバー体３０の頂壁３３と揮散板支持枠３１との間に上下動可能に保持され、側周壁３４内周の縦リブ３６によって、左右方向への妄動を阻止されるようにしている。
【００１９】
次に、本芳香放散用具の使用態様と作用効果について説明する。
使用にあたって、収納容器Ａのキャップ４を取り外して、芳香放散用具Ｂを肩部７に被せると、側周壁３４下端の膨出環３８が収納容器Ａの環状凹部１０に係合して、芳香放散用具Ｂが収納容器Ａに取着される。
その際、揮散板支持枠３１の上端の支持枠杆４２と保持リング４３は、中栓２の上端とほぼ一致するようになっているが、吸液芯３の上端３ａは中栓２上端より突出しているので、芳香揮散板３２は上方に押し上げられ、支持枠杆４２より上昇した位置に保持されることになる。
【００２０】
芳香揮散板３２の周面とカバー体３０側周壁３４との間には間隙があり、左右方向は、縦リブ３６によって妄動しないように保持されているので、芳香揮散板３２の上面と周面、下面のほとんどの面で芳香剤が揮発放散し、カバー体３０の頂壁３３、および側周壁３４の上下に設けられた芳香拡散孔３５、３９、４０から拡散されることになる。
したがって、側周壁３４の下方に設けられた芳香拡散孔４０からも放散されるので、揮発拡散面積が広くなり、芳香剤の放散量を多くすることができる。
【００２１】
収納容器Ａの底壁９ａは、ほぼ水平に形成されており、中央部で交差する細巾の十字路１１を挟んで内側１２ａを傾斜面とした４つの隆起部１２が形成されているから、工場での作業、容器の芳香剤の詰め替えにあたって、吸液芯３の下端を誘導することによって、吸液芯３の下端３ａを底壁の十字路中央部に載置し、その状態を常に維持することができるので、底部９周辺の内容液が十字路を通じて引き寄せられ、すべての内容液を吸上げることができる。
【００２２】
【発明の効果】
本発明は、上記のように構成されているから、次の効果を奏する。
収納容器の底壁をほぼ水平とし、底壁面上に中央部で交差する十字路と吸液芯を囲む隆起部とを設けたから、吸液芯の下端を底壁の中央部に載置保持し、すべての内容液を吸上げることができるようになった。
【００２３】
また、芳香揮散板とカバー体内周との間に間隙を形成して上下動可能とし、吸液芯上端を中栓より突出させ、芳香揮散板を浮き上がらせるようにしたから、芳香揮散板のほとんど全面から芳香剤を揮発放散させることができ、カバー体側周壁の下方部にも芳香拡散孔を設けたから、多量の芳香剤を放散させることができるようになった。
【００２４】
また、工場での作業、または消費者の芳香剤詰め替え時に、中栓に保持された吸液芯の下端は、隆起部の内側傾斜面に沿って底壁の中央部に誘導されるため、吸液芯が傾斜して斜めになることがなく、吸液芯の上端と芳香揮散板とは常に定位置で確実に接触させることができる。
【図面の簡単な説明】
【図１】収納容器に芳香放散用具を取着した一部断面正面図である。
【図２】収納容器の一部断面正面図である。
【図３】収納容器の底部の説明図である。
【図４】芳香放散用具のカバー体の説明図で、（ａ）は一部断面側面図、（ｂ）は底面図である。
【図５】揮散板支持枠の説明図で、（ａ）は一部断面正面図、（ｂ）は底面図である。
【図６】  従来の芳香剤放散容器の説明図である。
【符号の説明】
Ａ、Ａａ    収納容器
Ｂ、Ｂａ    芳香放散用具
１          容器本体
２、ｂ      中栓
３、ａ      吸液芯
３ａ        上端
３ｂ        下端
１３        上壁
１４        嵌着筒
１５        保持筒
３０        カバー体
３１、ｃ    揮散板支持枠
３２、ｄ    芳香揮散板
３５、３９、４０、ｅ    芳香拡散孔
【図１】
0004409027.tif 000002
【図２】
0004409027.tif 000003
【図３】
0004409027.tif 000004
【図４】
0004409027.tif 000005
【図５】
0004409027.tif 000006
【図６】
0004409027.tif 000007